(57)【要約】【課題】  防水性を確保しつつ、透光体の曇りを防止することができるカメラ付きドアホン子機を提供する。【解決手段】  カメラ付きドアホン子機は、レンズ４及び撮像素子３を有してなるカメラブロック１と、カメラブロック１のレンズ４を外部に臨ませる窓孔７ａを有してカメラブロック１が収納される筐体６と、窓孔７ａを閉塞するようにして筐体６に取り付けられる防水用の透光体７３とを備え、筐体６には、筐体６と透光体７３とで囲まれる空間部Ｓと筐体６外部とを連通する通気穴７４が設けられ、通気穴７４は、左右方向（水平方向）を長手方向とする横行部７４ａと、横行部７４ａの右端側から上方へ延設され空間部Ｓと横行部７４ａを連通する上行部７４ｂと、横行部７４ａの左端側から下方へ延設され筐体６外部と横行部７４ａを連通する下行部７４ｃとから構成されている。【選択図】図１
2006304217.tif 000002
【特許請求の範囲】
【請求項１】
レンズ及び撮像素子を有してなるカメラブロックと、カメラブロックのレンズを外部に臨ませる窓孔を有してカメラブロックが収納される筐体と、窓孔を閉塞するようにして筐体に取り付けられる防水用の透光体とを備え、筐体には、筐体と透光体とで囲まれる空間部と筐体外部とを連通する通気穴が設けられており、筐体外部側の通気穴の開口方向は、筐体を造営面に設置した状態で、水平方向又は水平方向より下向きであることを特徴とするカメラ付きドアホン子機。
【請求項２】
通気穴は、筐体外部から前記空間部へ向かう経路において、進行方向が水平方向又は水平方向より上向きとなる部分を有していることを特徴とする請求項１に記載のカメラ付きドアホン子機。
【発明の詳細な説明】
【技術分野】
【０００１】
本発明は、監視、防犯、来客対応等の用途に用いられるカメラ付きドアホン子機に関する。
【背景技術】
【０００２】
従来から、レンズ及び撮像素子を有してなるカメラブロックと、カメラブロックのレンズを外部に臨ませる窓孔を有してカメラブロックが収納される筐体と、窓孔を閉塞するようにして筐体に取り付けられる透光体とを備え、透光体と筐体の両接合面が互いに溶着されているカメラ付きドアホン子機が提供されている（特許文献１）。
【特許文献１】特開２００１−２６８１９４号公報（第１図、第２図）
【発明の開示】
【発明が解決しようとする課題】
【０００３】
上記のカメラ付きドアホン子機によれば、透光体が筐体の窓孔を閉塞するようにして筐体に溶着されているので、被水環境下に置かれた際にも、窓孔を介して雨水等が筐体内に浸入することを防止することができていた。
【０００４】
しかしながら、透光体を筐体に溶着して、透光体と筐体とで囲まれる空間部を密閉状態とした際には、前記空間部と筐体外部とで温度差が生じ易くなり、これによって透光体の表面が曇ってしまい、良好な画像が得られなくなるという問題があった。
【０００５】
本発明は上述の点に鑑みて為されたもので、その目的は、防水性を確保しつつ、透光体の曇りを防止することができるカメラ付きドアホン子機を提供することである。
【課題を解決するための手段】
【０００６】
上述の課題を解決するために、請求項１のカメラ付きドアホン子機では、レンズ及び撮像素子を有してなるカメラブロックと、カメラブロックのレンズを外部に臨ませる窓孔を有してカメラブロックが収納される筐体と、窓孔を閉塞するようにして筐体に取り付けられる防水用の透光体とを備え、筐体には、筐体と透光体とで囲まれる空間部と筐体外部とを連通する通気穴が設けられており、筐体外部側の通気穴の開口方向は、筐体を造営面に設置した状態で、水平方向又は水平方向より下向きであることを特徴とする。
【０００７】
請求項１の発明によれば、外気を筐体と透光体とで囲まれる空間部に取り込むための通気穴を備えるので、前記空間部と筐体外部との間の温度差を小さくすることができ、これにより、温度差に起因して透光体の表面が曇ってしまうことを防止できる。しかも、筐体外部側の通気穴の開口方向が、筐体を造営面に設置した状態で、水平方向又は水平方向より下向きとなるようにしているので、通気穴を介して雨水等が前記空間部に浸入することを抑制でき、これにより、防水性も確保することができる。
【０００８】
請求項２のカメラ付きドアホン子機では、請求項１の構成に加えて、通気穴は、筐体外部から前記空間部へ向かう経路において、進行方向が水平方向又は水平方向より上向きとなる部分を有していることを特徴とする。
【０００９】
請求項２の発明によれば、通気穴に進行方向が水平方向又は水平方向より上向きとなる部分を設けているので、通気穴を介して雨水等がさらに浸入しづらくなり、これにより、防水性をさらに向上できる。
【発明の効果】
【００１０】
本発明は、外気を筐体と透光体とで囲まれる空間部に取り込むための通気穴を備えるので、前記空間部と筐体外部との間の温度差を小さくして、透光体の表面が曇ってしまうことを防止できるという効果があり、しかも、このような通気穴の開口方向が、筐体を造営面に設置した状態で、水平方向又は水平方向より下向きとなるようにしているので、通気穴を介して雨水等が前記空間部に浸入することを抑制できて、防水性も確保することができるという効果がある。
【発明を実施するための最良の形態】
【００１１】
以下に、本発明のカメラ付きドアホン子機（以下、単にドアホン子機という）の一実施形態について、図１〜図４を参照して説明する。尚、以下の説明では、特に断りがない限りは、図１（ａ）の上側をドアホン子機の上側、図１（ａ）の下側をドアホン子機の下側、図１（ａ）の右側をドアホン子機の左側、図１（ａ）の左側をドアホン子機の右側、図１（ａ）の紙面奥側をドアホン子機の後側、図１（ａ）の紙面手前側をドアホン子機の前側とする。
【００１２】
本実施形態のドアホン子機は、図１（ｂ）に示すように、レンズ４及び撮像素子３を有してなるカメラブロック１と、カメラブロック１のレンズ４を外部に臨ませる窓孔７ａを有してカメラブロック１が収納される筐体６と、窓孔７ａを閉塞するようにして筐体６に取り付けられる防水用の透光体７３とを備え、筐体６には、筐体６と透光体７３とで囲まれる空間部Ｓと筐体６外部とを連通する通気穴７４が設けられている。
【００１３】
カメラブロック１は、図１（ｂ）に示すように、基板２と、撮像素子３と、レンズ４と、レンズカバー５とで構成され、撮像素子３は基板２に実装され、レンズ４はレンズカバー５に設けられている。
【００１４】
基板２は、図１（ｂ）に示すように、平板状のプリント配線板２０に、画像伝送用の回路等を構成する電子部品（図示せず）が実装されてなり、前面の略中央部に撮像素子３が実装されている。また、プリント配線板２０には、レンズカバー５の位置決めを行う係止孔（図示せず）や、レンズカバー５を基板２に取り付けるための取付ねじ（図示せず）が挿通されるねじ挿通孔（図示せず）が設けられている。
【００１５】
レンズカバー５は、たとえば樹脂成形品であり、図１及び図２に示すように、後面が開口した略直方体の箱状に形成されて撮像素子３を覆うカバー本体５０と、カバー本体５０の左右方向（水平方向）の両側面に突設された長尺状の左片部５１及び右片部５２と、右片部５２の先端部（右端部）から後方へ延出された側板部５３とを一体に備えている。
【００１６】
カバー本体５０には、図１（ｂ）に示すように、前面部に撮像素子３を外部に臨ませる略円形状のレンズ孔５０ａが形成されており、このレンズ孔５０ａの内側面にはねじ溝が形成されている。このレンズ孔５０ａには、レンズ４を備えるレンズブロック５４が取り付けられて、撮像素子３に外部からの光を受光させることができるようになっている。また、レンズカバー５の後端縁には、上記プリント配線板２０の係止孔に挿入される脚片（図示せず）や、ねじ挿通孔をそれぞれ挿通させた取付ねじを螺着するねじ孔（図示せず）等が設けられている。
【００１７】
一方、上記のレンズブロック５４は、図１（ｂ）に示すように、両端が開口した円筒状の樹脂成形部５４ａと、樹脂成形部５４ａの前端側の開口に被着されるレンズ４とで構成されている。また、このレンズブロック５４の樹脂成形部５４ａには、その後端側の外周面にカバー本体５０のレンズ孔５０ａのねじ溝に対応するねじ溝が形成されており、これによって、レンズブロック５４をカバー本体５０に着脱自在に取り付けることができるようになっている。
【００１８】
左片部５１及び右片部５２の前面部にはそれぞれ支持片５１ａ，５２ａが一体に突設されており、各支持片５１ａ，５２ａの右側面には、略円柱状の軸部５１ｂ，５２ｂが一体に突設されている。これら軸部５１ｂ，５２ｂは、レンズカバー５を筐体６のボディ７に水平方向を回転軸として回動自在に取り付けるためのものであるから、左右方向（水平方向）において同軸となるように設けられている。
【００１９】
側板部５３は、図２に示すように、カメラブロック１の水平方向での側部となる平板部５３ａと、上記支持片５１ａ，５２ａの軸部５１ｂ，５２ｂを中心軸とする円弧状を有して平板部５３ａの右側面の後端縁に突設された後壁部５３ｂとを一体に備えている。また、平板部５３ａの後壁部５３ｂ側には、上記軸部５１ｂ，５２ｂを中心軸とする円弧上に所定間隔で複数の角度調整用の凹部５３ｃ…が列設されており、後壁部５３ｂの後面側の上下方向における略中央部には、角度調整用レバー５５が一体に突設されている。加えて、平板部５３ａの前後方向の長さ寸法は、レンズカバー５を基板２の前面に固定配置した際に、凹部５３ｃ…が基板２よりも後方に位置する程度の大きさに設定されている。
【００２０】
そして、カメラブロック１は、撮像素子３が実装された基板２の前面に、取付ねじ（図示せず）を用いてレンズカバー５を固定することで得られ、レンズカバー５を基板２に固定した際には、図２に示すように、側板部５３が基板２の右側方に位置することになる。
【００２１】
以上により構成されたカメラブロック１は、図２に示すように、回路ブロック９とともに筐体６に収納される。ここで、回路ブロック９は、音声回路等の各種回路や呼び出しスイッチ９０ａが実装された回路基板９０と、回路基板９０に電気的に接続される、図示しない集音マイク、スピーカ、及び通話線等が接続される端子部等で構成されている。
【００２２】
次に、カメラブロック１及び回路ブロック９が収納される筐体６について説明する。筐体６は、図２に示すように、筐体６の前面部となるボディ７と、後面部となるカバー８とで構成されており、これらボディ７及びカバー８は、いずれも樹脂成形品からなる。
【００２３】
ボディ７は、図２に示すように、後面が開口した略直方体の箱状に形成されており、ボディ７の上部の透光体被着部７０は、前面の位置が前壁部７１よりも後方に位置するとともに、左右方向の幅寸法が前壁部７１よりも狭幅となっている。加えて、ボディ７の透光体被着部７０の後端側には、略コ字状の鍔部７２が一体に形成されており、この鍔部７２の前面部には、透光体７３を取り付けるための孔部７２ａ〜７２ｃが形成されている。さらに、ボディ７の透光体被着部７０の前面中央部には、筐体６に収納されるカメラブロック１のレンズ４を筐体６外部に臨ませる円形状の窓孔７ａが形成されるとともに、透光体７３と筐体６とで囲まれる空間部Ｓ（図１（ｂ）参照）と筐体６外部とを連通するための略Ｓ字状の通気穴７４が形成されている。ここで、通気穴７４は、窓孔７ａの下方に形成され左右方向（水平方向）を長手方向とする溝状の横行部７４ａと、横行部７４ａの右端側から上方へ延設され空間部Ｓと横行部７４ａを連通する溝状の上行部７４ｂと、横行部７４ａの左端側から下方へ延設され筐体６外部と横行部７４ａを連通する溝状の下行部７４ｃとから構成されている。
【００２４】
さらに、ボディ７の前壁部７１には、上下方向を長手方向とする溝部７ｂが複数形成されており、この溝部７ｂ…の側面には、スピーカ用の孔部７ｂ１が設けられている。この複数の溝部７ｂ…の下方には、呼び出しボタン９０ａを操作するための操作部７５が前後方向に揺動自在に配置される矩形状の孔部７ｃが形成されている。さらに、孔部７ｃの左下方には、来訪者の音声を集音マイク（図示せず）に取り込むためのマイク孔７ｄが形成されており、孔部７ｃの下方には、筐体６を壁、門柱、表札ユニット内等の様々な箇所の造営面に設置するための取付台（図示せず）に固定するための取付ねじ（図示せず）用のねじ挿通孔７ｅが形成されている。加えて、ボディ７の下壁部の後端部には、左右方向に離間した一対の係止孔７ｆ，７ｆが形成されている。
【００２５】
一方、筐体６の内面となるボディ７の透光体被着部７０と前壁部７１の裏面（後面）には、レンズカバー５の軸部５１ｂ，５２ｂをそれぞれ左右方向（水平方向）を回転軸として回動自在に支持するための軸受け部（図示せず）が設けられるとともに、レンズカバー５の側板部５３の複数の凹部５３ｃ…とともに、カメラブロック１の角度調整機構を構成する凸部（図示せず）が設けられている。さらに、ボディ７の透光体被着部７０と前壁部７１の裏面には、カバー８をボディ７に取り付けるための取付ねじ（図示せず）が螺入されるねじ孔（図示せず）が設けられている。
【００２６】
カバー８は、図２に示すように、ボディ７の開口した後面を覆う程度の大きさの略平板状に形成されている。このカバー８には、上記ボディ７のねじ孔（図示せず）にそれぞれ対応するねじ挿通孔８ａ…が設けられるとともに、カバー８の下端縁には、上記ボディ７の係止孔７ｆ，７ｆにそれぞれ係止される一対の係止爪８ｂ，８ｂが一体に突設されている。また、カバー８の下端中央部には、上記ボディ７のねじ挿通孔７ｅと連通して取付台用の取付ねじが挿通されるねじ挿通孔８ｃが形成されており、カバー８の下端側の左方には、上記回路ブロック９の端子部を外部へ臨ませるための端子接続孔８ｄが上下方向に４つ列設されている。加えて、カバー８には、レンズカバー５の角度調整用レバー５５を筐体６外部へ突出させるためのレバー用孔部（図示せず）が設けられており、このレバー用孔部は、角度調整用レバー５５を上下方向に動かせるように、上下方向を長手方向とする長孔状に形成されている。
【００２７】
透光体７３は、このボディ７の透光体被着部７０に、窓孔７ａを覆うようにして取り付けられる防水用カバーであり、図２に示すように、透光性材料から下面及び後面が開口した箱状に形成され、左右側部及び上側部の後端面には、鍔部７２の孔部７２ａ〜７２ｃにそれぞれ嵌入される突部７３ａ〜７３ｃが一体に突設されている。また、この透光体７３の前壁部の後面には、図１（ｂ）に示すように、透光体被着部７０の前面周縁部の当接部位（つまりはボディ７の透光体被着部７０の前面周縁部において通気穴７４を除く部位）Ｂに当接するリブ７３ｄが形成されており、このリブ７３ｄをボディ７の当接部位Ｂに溶着等することによって透光体７３が筐体６に密着接合される。
【００２８】
上記の部材によりドアホン子機は構成されており、各部材は次のようにして取り付けられている。カメラブロック１は、レンズカバー５の支持片５１ａ，５２ａの軸部５１ｂ，５２ｂを、ボディ７の図示しない軸受け部にそれぞれ軸支させることでボディ７に水平方向を回転軸として回動自在に取り付けられる。このとき、レンズブロック５４がボディ７の窓孔７ａから外部へ臨むとともに、側板部５３に複数設けられた角度調整用の凹部５３ｃ…と、ボディ７に設けられた図示しない凸部とが嵌合するようになっている。
【００２９】
そして、ボディ７には、回路ブロック９が、スピーカ（図示せず）を溝部７ｂに、呼び出しスイッチ９０ａを孔部７ｃに配置された操作部７５に、集音マイク（図示せず）をマイク孔７ｄにそれぞれ対応させた状態で配置収納される。この後に、図３に示すように、カバー８が後面開口を閉塞するようにしてボディ７に被着されるのであるが、カバー８の取り付けは、カバー８の係止爪８ｂ，８ｂをボディ７の係止孔７ｆ，７ｆにそれぞれ係止させるとともに、カバー８のねじ挿通孔８ａ…をボディ７のねじ孔（図示せず）にそれぞれ連通させた状態で、前記ねじ孔に取付ねじ（図示せず）を螺着することで行われる。
【００３０】
このようにしてカバー８がボディ７に取り付けられた際には、カメラブロック１の角度調整用レバー５５が、カバー８のレバー用孔部（図示せず）から筐体６外部へ突出し、また、回路ブロック９の端子台（図示せず）がカバー８の端子接続孔８ｄから筐体６外部へ臨むことになる。
【００３１】
最後に、透光体７３が、突部７３ａ〜７３ｃを鍔部７２の孔部７２ａ〜７２ｃにそれぞれ嵌入させるとともに、リブ７３ｄを透光体被着部７０の前面周縁部の当接部位Ｂに当接させた状態で、リブ７３ｄを当接部位Ｂに溶着等することによってボディ７に取り付けられ、これにより図４に示すドアホン子機が得られる。ここで、透光体７３を取り付けた際には、透光体７３の下端縁とボディ７との間に上下方向において隙間が生じ、この隙間から通気穴７４の下行部７４ｃの下端が露出することで、空間部Ｓと筐体６外部とが連通される。
【００３２】
以上により構成されたドアホン子機では、ボディ７の透光体被着部７０の前面周縁部において通気穴７４を除く部位である当接部位Ｂで、透光体７３と筐体６とが密着接合されているので、透光体７３と筐体６との間の気密性が確保され、これにより、窓孔７ａから筐体６内部への雨水等の浸入が防止される。
【００３３】
そして、透光体７３と筐体６とで囲まれる空間部Ｓと筐体６外部とを連通する通気穴７４を設けていることにより、図１（ｂ）に矢印Ｌにて示すように、通気穴７４を介して外気が空間部Ｓに流入して、空間部Ｓと筐体外部との間の温度差（つまりは透光体７３の内面側と外面側の温度差）が小さくなり、これにより、温度差に起因して透光体７３の表面が曇ってしまうことを防止できる。しかも、筐体６を造営面に設置した状態では、筐体６外部側の通気穴７４の開口が筐体６の前面側に設けられて、その開口方向が水平方向となっているので、通気穴７４を介して雨水等が空間部Ｓに浸入することを抑制でき、これにより、防水性も確保することができる。ここで、筐体６外部側の通気穴７４の開口方向は水平方向に限られるものではなく、筐体６を造営面に設置した状態で水平方向より下向きであれば、より効果的に通気穴７４を介して雨水等が空間部Ｓに浸入することを防止できる。
【００３４】
さらに、この通気穴７４は、筐体６外部から空間部Ｓへ向かう経路、つまりは下行部７４ｃ＞横行部７４ａ＞上行部７４ｂと向かう経路において、筐体６を造営面に設置した状態で進行方向が水平方向となる横行部７４ａを有しているので、この横行部７４ａが雨水等の浸入を妨げる部位として作用し、これにより、防水性のさらなる向上が図られている。また、このような通気穴７４において雨水等の浸入を妨げる部位は、進行方向が水平方向となるものに限られるものではなく、筐体６を造営面に設置した状態で水平方向より上向きとなるものであれば、より効果的に浸水を防止することができる。
【００３５】
また、通気穴７４が窓孔７ａと直接連通するのではなく、空間部Ｓを介して窓孔７ａと連通していることにより、通気穴７４を介して雨水等が浸入してきたとしても、まずは空間部Ｓに水が溜まることになるから、窓孔７ａから筐体６内に浸水することを防止できる。さらに、空間部Ｓ側の通気穴７４の開口方向が、筐体６を造営面に設置した状態で、水平方向より上向きであるから、通気穴７４が空間部Ｓに溜まった水の水抜き穴としても作用することになる。
【図面の簡単な説明】
【００３６】
【図１】（ａ）は、本発明のカメラ付きドアホン子機の一部を透視した前面図であり、（ｂ）は、同図（ａ）のＡ−Ａ線における断面図である。
【図２】同上の分解斜視図である。
【図３】同上の一部を省略した斜視図である。
【図４】同上の斜視図である。
【符号の説明】
【００３７】
１    カメラブロック
３    撮像素子
４    レンズ
６    筐体
７ａ  窓孔
７３  透光体
７４  通気穴
７４ａ  横行部
７４ｂ  上行部
７４ｃ  下行部
Ｓ    空間部
【図１】
2006304217.tif 000003
【図２】
2006304217.tif 000004
【図３】
2006304217.tif 000005
【図４】
2006304217.tif 000006